(57)【特許請求の範囲】
【請求項１】
中空形状を有し、棒状体から成る警棒本体と、
前記警棒本体内に収納される袋部と、
前記袋部を押し出すためのシャフトと、
前記シャフトを引いたときに弾性的に変形し、袋部が放出される方向に前記シャフトを押圧する弾性部材と、を備え、
前記袋部は、開口を有する袋部本体と、当該開口部を塞ぐ袋部キャップを含み、
前記袋部が放出されるときに、前記袋部本体と、前記袋部キャップとが分離し、前記袋部本体の開口が開いた状態で放出されることを特徴とする警棒。
【請求項２】
前記警棒本体の前記袋部が放出される側の端部に勘合するキャップと、
前記キャップに接続された紐状部材と、を備え、
前記シャフトを引いたときに、前記紐状部材により前記キャップが開くように構成されることを特徴とする請求項１に記載の警棒。
【発明の詳細な説明】
【技術分野】
【０００１】
本発明は、警棒に関するものである。
【背景技術】
【０００２】
刃物の殺傷事件は、世代が変わっても、ナイフなどの刃物を用いて、脅迫、恐喝、暴力などの犯罪行為を行う事件が多発しており、世間を騒がせている。犯罪行為に使用される刃物は、ナイフの他にハサミ、カミソリなど多種多様にわたっている。
【０００３】
ナイフなどの刃物に対する護身用品の一つとして、警棒がある。従来の警棒は、棍棒と同様に、棒状のパイプ等から成っており、その内部に機能性を有する部材を装備したものは知られていない。特許文献１には、不審者等を一時的に拘束するための網を発射する装置が開示されている。特許文献１に開示されている逃走遅延装置では、例えば不審侵入者に対して動作遅延網を発射し、この動作遅延網が覆い被さり不審侵入者の行動を束縛し逃走遅延を生じさせる。
【先行技術文献】
【特許文献】
【０００４】
【特許文献１】特開2004-326155号公報
【発明の概要】
【発明が解決しようとする課題】
【０００５】
特許文献１の逃走遅延装置では、不審者等の行動を束縛し逃走遅延を生じさせるものであり、この逃走遅延装置を用いて、不審侵入者に対して動作遅延網を発射するように設計されている。しかし、この逃走遅延装置は、警棒として用いることはできず、ナイフなどの刃物に対する護身用品として用いることは困難である。
【０００６】
本発明の目的は、ナイフなどの刃物に対する護身用として身を守ったり、離れた相手の行動に制限を加えたり、相手を捕えたりする機能を有する警棒を提供することである。
【課題を解決するための手段】
【０００７】
本発明に係る警棒は、中空形状を有し、棒状体から成る警棒本体と、前記警棒本体内に収納されるシートカバーと、前記シートカバーを挟持するためのシートカバー保持部と、当該シートカバー保持部を保持する切断板と、前記シートカバーを前記シートカバー保持部に閉じた状態で挟持するための固定部材と、前記警棒本体と前記切断板とを連結する接続部材とを備える。また、前記警棒本体を振り出したときに、前記シートカバー保持部が開き、前記固定部材が切断されて、前記シートカバーが外部に放出されるように構成されることを特徴とする。
【０００８】
本発明に係る警棒では、警棒本体を振り出したとき、シートカバー保持部が開き、このとき、固定部材が切断されて、シートカバー保持部に把持固定されていたシートカバーが包み込んだ粉末等とともに放出される。放出されたシートカバーは、徐々に開きながら、飛翔し、この結果、警棒本体を振り出した方向に粉末が飛散し、不審者を威嚇等することができる。
【０００９】
また、本発明に係る警棒では、前記シートカバー保持部は、基端側が回転可能に前記切断板に固定されており、前記シートカバー保持部は、刃状形状の切断部を有し、前記固定部材の切断では、前記シートカバー保持部が回転して先端側から開くことにより、前記シートカバー保持部の前記切断部により前記固定部材が切断されることを特徴としてもよい。
【００１０】
本発明に係る警棒では、シートカバー保持部が、基端側が回転可能に切断板に固定されており、シートカバー保持部は、刃状形状の切断部を有している。この構成により、警棒本体を握って振り出したときに、シートカバー保持部が回転し先端側から開くことができる。このとき、切断部は刃状形状を有しているので、固定部材は、容易に切断されることができる。これにより、シートカバー保持部に把持固定されていたシートカバーが、包み込んだ粉末等とともに容易に放出されることができる。
【００１１】
また、本発明に係る警棒では、前記シートカバー保持部と前記警棒本体とを接続するための紐状部材を備え、前記警棒本体を振り出したときに、前記紐状部材により前記シートカバー保持部が開き、前記固定部材が切断されるように構成されることを特徴としてもよい。
【００１２】
本発明に係る警棒では、シートカバー保持部と前記警棒本体とを接続するための紐状部材を備えているので、警棒本体を握って振り出したときに、シートカバー保持部の先端部に取り付けられた紐状部材によりシートカバー保持部が引っ張られて、シートカバー保持部が開き、固定部材を切断することができる。
【００１３】
また、本発明に係る警棒は、中空形状を有し、棒状体から成る警棒本体と、前記警棒本体内に収納される袋部と、前記袋部を押し出すためのシャフトと、前記シャフトを引いたときに弾性的に変形し、袋部が放出される方向に前記シャフトを押圧する弾性部材とを備えることができる。また、前記袋部は、開口を有する袋部本体と、当該開口部を塞ぐ袋部キャップを含み、前記袋部が放出されるときに、前記袋部本体と、前記袋部キャップとが分離し、前記袋部本体の開口が開いた状態で放出されることを特徴としてもよい。
【００１４】
本発明に係る警棒では、シャフトを引いたときに、警棒本体内に収納されている弾性部材が圧縮された状態となり、不審者等を威嚇するために、警棒を不審者に向けて、シャフトを放したときに、弾性部材の弾性力により、シャフトが強力に押し出され、袋部が外部に放出されることができる。放出された袋部から、袋部キャップが外れて、袋部本体に充填された粉末等が飛散し、不審者を威嚇等することができる。
【００１５】
また、本発明に係る警棒では、前記警棒本体の前記袋部が放出される側の端部に勘合するキャップと、前記キャップに接続された紐状部材とを備えることができる。また、前記シャフトを引いたときに、前記紐状部材により前記キャップが開くように構成されることを特徴としてもよい。
【００１６】
本発明に係る警棒では、シャフトを引いたとき紐状部材により警棒本体に勘合されたキャップが開き、警棒本体の一端の開口が解放された状態とすることができるので、シャフトを放すことで、不審者に向けて、直ちに放出することができる。
【発明の効果】
【００１７】
本発明の警棒では、ナイフなどの刃物に対して身を守ることができる。また、不審者等に対して粉末や液体などの威嚇物を発射し威嚇することもできる。さらに、不審者等に威嚇物でマーカーを付けることができるので、不審者等を容易に捕えることができる。
【図面の簡単な説明】
【００１８】
【図１】図１は、第１の実施形態に係る警棒の概略図を示す図である。
【図２】図２は、第１の実施形態に係る警棒の一端部に取り付ける第１のキャップを説明するための図である。
【図３】図３は、第１の実施形態に係る警棒の他端部に取り付ける第２のキャップの断面図を概略的に説明するための図である。
【図４】図４は、第１の実施形態に係る警棒の一端部に設けられた切断板に、シートカバーが把持されている状態を説明するための図である。
【図５】図５は、第１の実施形態に係る警棒の一端部に設けられた切断板に、シートカバーを取り付ける工程を説明するための図である。図５（ａ）は、粉末、粒、粉粒体等をシートカバーで包み込んで、シートカバー保持部に取り付けている状態（固定前）を説明するための図である。図５（ｂ）は、シートカバーをシートカバー保持部に挟み込んだ状態で、シートカバー保持部の外側に固定部材を巻き付けて、シートカバーをシートカバー保持部に固定した状態を説明するための図である。
【図６】図６は、第１の実施形態に係る警棒において、切断板のシートカバー保持部により、固定部材を切断することを説明するための図である。
【図７】図７は、第２の実施形態に係る警棒の概略図を示す図である。
【図８】図８は、第２の実施形態に係る警棒の警棒本体内に収納された袋部キャップを説明するための図である。
【図９】図９は、第２の実施形態に係る警棒の一端部の構造の概略図を示す図である。第２の紐状部材により、第１のキャップが開き、警棒本体の一端の開口が解放された状態を示している。
【図１０】図１０は、第２の実施形態に係る警棒の一端部の構造の概略図を示す図である。第２の紐状部材を用いて、第１のキャップを開く直前の状態を示している。
【図１１】図１１は、第２の実施形態に係る警棒の他端部の構造の概略図を示す図である。
【発明を実施するための形態】
【００１９】
いくつかの実施形態に係る警棒を、以下に図面を参照しつつ説明する。以下の説明で
は、図面の説明において同一の要素には同一の符号を付する。
【００２０】
（第１の実施形態）
図１は、第１の実施形態に係る警棒の概略を示す図である。警棒１は、筒状の警棒本体２と、警棒本体２の内部に収納される接続部材３と、接続部材３に接続される切断板５と、シートカバー１５とを備える。警棒本体２は、例えば、中空のパイプから構成されており、例えば、スチール製、アルミ製、鉄製、樹脂製、又は硬質ポリ塩化ビニル（塩ビ）製などのパイプ体から成ることができる。警棒本体２の外径は、約２５ｍｍ〜３５ｍｍ程度であり、内径は、２０ｍｍ〜３０ｍｍ程度とすることができる。警棒本体２の肉厚は、十分な強度有するような肉厚とすることができ、例えばスチールパイプを用いた場合、１ｍｍ〜１．５ｍｍ程度とすることができる。また、塩ビパイプを用いた場合は、肉厚を２．５ｍｍ〜３ｍｍ程度とすることができる。また、警棒本体２の長さは、３００ｍｍ〜３５０ｍｍ程度とすることができる。このようなサイズに設計することで、警棒本体２を握って振り出したときに、握り易く、また振り出し出しやすい構造となっている。
【００２１】
図１に示すように、切断板５が接続部材３を介して、警棒本体２に接続されている。接続部材３は、例えば、金属製のチェーンから成ることができる。接続部材３は、警棒本体２を握って振り出したときに、警棒本体２から放出され、暴漢などに対する防具としても用いることが出来る。切断板５は、シートカバー１５を保持するためのシートカバー保持部６と、シートカバー保持部６を固定すると共に、接続部材３に接続するための板部８を有する。図４に、一例として、板部８が接続部材３に接続された状態を示す拡大図を示した。
【００２２】
図４に示したように、切断板５のシートカバー保持部６は、軸部９を介して板部８に接続されており、軸部９を中心に回転可能に構成されている。本実施形態では、切断板５が、２個のシートカバー保持部６を備えており、このシートカバー保持部６によって、シートカバー１５を把持できるように構成されている。また、切断板５は、軸部を用いずに、シートカバー保持部６を板部８に直接固定するようにしてもよい。この場合、板部８から分岐しているシートカバー保持部６の分岐部内側にシートカバー１５を把持することができる。また、シートカバー保持部６を板部８に直接固定する場合、板部８から分岐するシートカバー保持部６のネック部の幅が他の部分よりも小さくなるように形成してもよい。シートカバー保持部６を板部８に直接固定した切断板を用いた場合でも、シートカバー保持部６に力を加えることで、シートカバー保持部６の分岐部が変形し、シートカバー保持部６が僅かに開閉するように構成することができる。
【００２３】
図５に示したように、シートカバー保持部６の外側には、刃状の形状を有する切断部７が設けられている。また、シートカバー保持部６の先端部には、第１の紐状部材２５の一端を取りつけるための第１の貫通孔１０が設けられている。
【００２４】
図５は、第１の実施形態に係る警棒の一端部に設けられた切断板に、シートカバーを取り付ける工程を説明するための図である。図５（ａ）は、粉末、粒、粉粒体等をシートカバーで包み込んで、シートカバー保持部に取り付けている状態（固定前）を示している。また、図５（ｂ）は、シートカバーをシートカバー保持部に挟み込んだ状態で、シートカバー保持部の外側に固定部材を巻き付けて、シートカバーをシートカバー保持部に固定した状態を示している。図５において、切断板５のシートカバー保持部６には、シートカバー１５が把持されている。シートカバー１５は把持された状態で、固定部材２０を用いてシートカバー保持部６に固定されている。固定部材２０としては、例えば紙テープやセロハンテープを用いることができる。シートカバー１５は、１枚のシート状の紙、又はビニールなどの樹脂から成ることができる。図１、図４、及び図５に示したように、シートカバー１５は、例えば粉末、粒、又は、粉末、粒などが集まった粉粒体等を包み込んだ状態で、シートカバー保持部６に把持されている。
【００２５】
図６は、第１の実施形態に係る警棒において、切断板のシートカバー保持部により、固定部材を切断することを説明するための図である。警棒本体２を握って振り出したときに、シートカバー保持部６の先端部に取り付けられた第１の紐状部材２５によりシートカバー保持部６が引っ張られて、シートカバー保持部６が軸部９を中心に回転または開閉する。このとき、シートカバー保持部６の切断部７が固定部材２０を切断し、シートカバー保持部６に把持固定されていたシートカバー１５が包み込んだ粉末等とともに放出される。放出されたシートカバー１５は、徐々に開きながら、飛翔し、この結果、警棒本体２を振り出した方向に粉末が飛散し、不審者を威嚇等することができる。
【００２６】
図２は、第１の実施形態に係る警棒の一端部に取り付ける第１のキャップ３０を説明するための図である。図２に示すように、警棒本体２の一端には、第１のキャップ３０が取り付けられている。第１のキャップ３０は、警棒本体２の内側に勘合するための凸部３１と、当該凸部３１に接続されて、第１のキャップ３０を警棒本体２の外周面に取り付けるための固定部３２が設けられている。第１のキャップ３０は、警棒本体２を振り出す直前に、警棒本体２に勘合された状態から取り外して使用し、これにより、シートカバー１５が放出可能な状態とすることができる。第１のキャップ３０を、警棒本体２に勘合された状態から取り外したときでも、第１のキャップ３０は、固定部３２により、警棒本体２の外周面に取り付けられた状態となっている。固定部３２は、第１のキャップ３０を繰り返し警棒本体２に着脱可能とするために、厚みを薄くするなど、柔軟性を有する構造を有することができる。第１のキャップ３０は、例えばポリエチレン（ＰＥ）、ポリプロピレン（ＰＰ）、塩化ビニル（ＰＶＣ）、ポリエチレンテレフタレート（PET）などの樹脂を用いることができる。
【００２７】
図３は、第１の実施形態に係る警棒の他端部に取り付ける第２のキャップの断面図を概略的に説明するための図である。図３に示すように、警棒本体２の他端には、第２のキャップ３５が取り付けられている。第２のキャップ３５は、警棒本体２の外側に勘合するための凹部３６を有している。第２のキャップ３５の内側には、接続部材３を接続固定するための取付部材３７が設けられている。また、取付部材３７には、シートカバー保持部６の先端部に取り付けられた第１の紐状部材２５の他端が接続固定されている。
【００２８】
図１に示すように、警棒本体２の他端側の外周には、滑止用カバー４０を設けることができる。滑止用カバー４０の表面には、エンボス加工を施すことができ、これにより一層、滑り止めの効果を向上することができる。滑止用カバー４０は、例えば、塩化ビニル（ＰＶＣ）から成ることができる。
【００２９】
次に、警棒１の使用方法について、以下に説明する。まず、シートカバー１５に粉末などを包み込んだ状態で袋形状にし、袋形状の先端部を切断板５のシートカバー保持部６で把持し、この状態で固定部材２０をシートカバー保持部６の上から巻き付けて、シートカバー１５を切断板５に固定する。シートカバー１５で包むものは、粉末以外に、粒状のものでもよく、また、粉末と粒状のものを混合した粉粒体でもよい。また、粉末としては、例えば石灰などを用いることができる。粒状のものとしては、直径が０．２ｍｍ〜６ｍｍ程度のプラスチック製の球状ボールを用いることができる。シートカバー保持部６の先端部には、第１の紐状部材２５の一端が取り付けられている。第１のキャップ３０を取り外して、シートカバー１５が固定された状態で切断板５を警棒本体２の内部に収納する。その後、第１のキャップ３０を、警棒本体２に勘合し蓋をし、警棒１が使用できる状態とする。不審者に対して威嚇する場合は、第１のキャップ３０を、警棒本体２に勘合された状態から取り外した後、警棒本体２を握って、不審者に向けて、警棒１を振り出す。このとき、袋形状のシートカバー１５が、切断板５及び切断板５に接続された接続部材３とともに、外部に放出される。接続部材３の長さは、第１の紐状部材２５の長さよりも僅かに大きくなるように設定されている。これにより、接続部材３が伸びきる前に、第１の紐状部材２５の方が先に伸びきるため、第１の紐状部材２５がシートカバー保持部６を引っ張り、シートカバー保持部６が軸部９を中心に回転または開閉する。このとき、シートカバー保持部６の切断部７が固定部材２０を切断し、シートカバー保持部６に把持固定されていたシートカバー１５が包み込んだ粉末等とともに放出される。放出されたシートカバー１５は、徐々に開きながら、飛翔し、この結果、警棒本体２を振り出した方向に粉末が飛散し、不審者を威嚇等することができる。なお、第１のキャップ３０は、警棒本体２を振り出す直前に、警棒本体２に勘合された状態から取り外して使用する方法について説明したが、警棒本体２を振り出すことによって、シートカバー１５により、第１のキャップ３０を押し開けるようにしてもよい。
【００３０】
（第２の実施形態）
図７は、第２の実施形態に係る警棒１０１の概略を示す図である。警棒１０１は、筒状の警棒本体２と、警棒本体２の内部に収納される袋部１０５と、警棒本体２の内部に収納され袋部１０５を押し出すためのシャフト１１０と、袋部１０５を放出するための弾性部材１１５とを備える。袋部１０５は、その内部に粉末等を収納している。また、シャフト１１０の一端には、袋部１０５に当接して、袋部１０５を容易に押し出しできるように押板１２０が取り付けられている。押板１２０の外径は、警棒本体２の内径より僅かに小さい値を有し、警棒本体２の内面をスライド可能なように構成されている。警棒本体２は、実施形態１で説明した警棒本体２と同じものを用いることができる。
【００３１】
図７及び図９に示すように、警棒本体２の一端には、第１のキャップ３０が取り付けられている。第１のキャップ３０は、警棒本体２の内側に勘合するための凸部３１と、当該凸部３１に接続されて、第１のキャップ３０を警棒本体２の外周面に取り付けるための固定部３２が設けられている。また、図１０に示すように、第１のキャップ３０の鍔部３３には、第２の紐状部材１２５の一端が接続固定されている。第２の紐状部材１２５の他端は、シャフト１１０の一端に接続固定されている。また、警棒本体２には、第２の紐状部材１２５を通すための第２の貫通孔１２７が設けられている。第１のキャップ３０は、シャフト１１０を引いたときに、シャフト１１０に接続された第２の紐状部材１２５が引っ張られ、警棒本体２の内側に勘合して蓋がされた状態から、第１のキャップ３０の凸部３１が外れて、開くように構成されている。
【００３２】
図１１に示すように、警棒本体２の他端には、シャフト支持部材１３５が設けられており、シャフト支持部材１３５の略中央部に設けられた第３の貫通孔１３０にシャフト１１０を挿通することで、シャフト１１０を支持することができる。シャフト支持部材１３５に設けられた第３の貫通孔１３０は、シャフト１１０が自由にスライドできる程度に、シャフト１１０の外径よりも僅かに大きい内径を有する。
【００３３】
シャフト１１０の他端には、持手部１４０が設けられている。持手部１４０は、例えば、ネジを用いてシャフト１１０の他端に固定することができる。また、持手部１４０は、シャフト１１０を容易に引き出すための鍔部を有してもよい。この鍔部は、例えば、シャフト１１０の外径よりも大きい外径を有することができる。
【００３４】
図８に示すように、袋部１０５は、開口部を有する袋部本体１０６と、この開口部をカバーする袋部キャップ１０７を含むことができる。本実施形態では、袋部キャップ１０７は、袋部本体１０６に接着固定されていない。袋部１０５は、袋部本体１０６に粉末等を収納した状態で、袋部本体１０６の開口部を袋部キャップ１０７で被覆した状態で、警棒本体２内に収納されている。また、警棒の待機状態では、第１のキャップ３０の凸部３１の先端で、警棒本体２内に収納された袋部キャップ１０７を押さえるようにしてもよい。また、袋部１０５は、押板１２０に、例えば両面テープなどの接着部材１５０を用いて、接着固定されていてもよい。袋部１０５は、シャフト１１０の一端に設けられた押し板に固定されているので、警棒の使用状態において、シャフト１１０の持手部１４０を引いたときに、押板１２０ともにスライドすることができる。このとき、警棒本体２内に収納されている弾性部材１１５は圧縮された状態となっている。不審者等を威嚇するために、警棒１０１を不審者に向けて、シャフト１１０の持手部１４０を放したときに、弾性部材１１５の弾性力により、シャフト１１０及び押板１２０が強力に押し出されるが、このとき、袋部１０５と押板１２０とを接着している接着部材１５０の接着力よりも、弾性部材１１５の弾性力によりシャフト１１０及び押板１２０が押し出される力の方が大きくなるように弾性部材１１５の弾性力を設定することにより、袋部１０５が押板１２０から離れて外部に放出されることができる。
【００３５】
次に、警棒本体２の使用方法について、以下に説明する。まず、袋部１０５の袋部本体１０６に、粉末などを装填する。その後、袋部本体１０６の開口部に袋部キャップ１０７を被せて、警棒本体２の内部に収納する。このとき、袋部１０５（袋部本体１０６）を、押板１２０に、例えば両面テープなどを用いて、接着固定する。袋部本体１０６に装填するものは、粉末以外に、粒状のものでもよく、また、粉末と粒状のものを混合した粉粒体でもよい。また、粉末としては、例えば石灰などを用いることができる。粒状のものとしては、直径が０．２ｍｍ〜６ｍｍ程度のプラスチック製の球状ボールを用いることができる。その後、第１のキャップ３０を、警棒本体２に勘合し蓋をし、警棒１０１が使用できる状態とする。不審者に対して威嚇する場合は、シャフト１１０の持手部１４０を引く。このとき、シャフト１１０に接続された第２の紐状部材１２５により、第１のキャップ３０が開き、警棒本体２の一端の開口が解放された状態とすることができる。不審者等を威嚇するために、警棒１０１を不審者に向けて、シャフト１１０の持手部１４０を放したときに、弾性部材１１５の弾性力によりシャフト１１０及び押板１２０が強力に押し出され、このとき袋部１０５のみが押板１２０から離れて外部に放出される。放出された袋部１０５から、袋部キャップ１０７が外れて、袋部本体１０６に充填された粉末等が飛散し、不審者を威嚇等することができる。
【符号の説明】
【００３６】
１      警棒
２      警棒本体
３      接続部材
５      切断板
６      シートカバー保持部
７      切断部
８      板部
９      軸部
１０    第１の貫通孔
１５    シートカバー
２０    固定部材
２５    第１の紐状部材
３０    第１のキャップ
３１    凸部
３２    固定部
３３    鍔部  
３５    第２のキャップ
３６    凹部
３７    取付部材
４０    滑止用カバー
１０１  警棒
１０５  袋部
１０６  袋部本体
１０７  袋部キャップ
１１０  シャフト
１１５  弾性部材
１２０  押板
１２５  第２の紐状部材
１２７  第２の貫通孔
１３０  第３の貫通孔
１３５  シャフト支持部材
１４０  持手部
１５０  接着部材
【要約】
【課題】ナイフなどの刃物に対する護身用として身を守ったり、離れた相手の行動に制限を加えたり、相手を捕えたりする機能を有する警棒を提供することにある。
【解決手段】本発明に係る警棒（１０１）は、中空形状を有し、棒状体から成る警棒本体（２）と、警棒本体（２）内に収納される袋部（１０５）と、袋部（１０５）を押し出すためのシャフト（１１０）と、シャフト（１１０）を引いたときに弾性的に変形し、袋部（１０５）が放出される方向にシャフト（１１０）を押圧する弾性部材（１１５）とを備える。袋部（１０５）は、開口を有する袋部本体（１０６）と、当該開口部を塞ぐ袋部キャップ（１０７）を含み、袋部（１０５）が放出されるときに、袋部本体（１０６）と、袋部キャップ（１０７）とが分離し、袋部本体（１０６）の開口が開いた状態で放出されるように構成されている。
【選択図】図７【図１】
0006892971.tif 000002
【図２】
0006892971.tif 000003
【図３】
0006892971.tif 000004
【図４】
0006892971.tif 000005
【図５】
0006892971.tif 000006
【図６】
0006892971.tif 000007
【図７】
0006892971.tif 000008
【図８】
0006892971.tif 000009
【図９】
0006892971.tif 000010
【図１０】
0006892971.tif 000011
【図１１】
0006892971.tif 000012